(57)【要約】【課題】収納するボールの位置を調整してその調整後の位置を保持することができ、容易にボールの空気量の調節が可能なため、身体に当たる際の強さを都度容易に微調整することができ、平面方向に複数個連接してマット状にすることも可能なボールカバーを提供する。【解決手段】空気注排出口２ａを有し該空気注排出口２ａから空気を内部に注入及び排出可能で内部の空気量を調節できる弾性部材から成るボール２のボールカバー１であって、複数個の該ボールを一列状に収納する袋本体部３と、該袋本体部３の中央部長手方向に設けられたスリット部４と、袋本体部３に収納されたボール２の位置を調整し保持するボール位置調整保持手段７と、から成り、スリット部４は前記ボール２が出入り自在に形成されていることを特徴とするボールカバー１である。【選択図】図１
2016209047.tif 000002
【特許請求の範囲】
【請求項１】
空気注排出口を有し該空気注排出口から空気を内部に注入及び排出可能で内部の空気量を調節できる弾性部材から成るボールのボールカバーであって、複数個のボールを一列状に収納する袋本体部と、該袋本体部の中央部長手方向に設けられたスリット部と、袋本体部に収納されたボールの位置を調整し保持するボール位置調整保持手段と、から成り、スリット部はボールが出入り自在に形成されていることを特徴とするボールカバー。
【請求項２】
ボールカバーは変形自在のシート状体で形成されていることを特徴とする請求項１記載のボールカバー。
【請求項３】
シート状体は織物地又は編み物地から成る布帛であることを特徴とする請求項２記載のボールカバー。
【請求項４】
複数個のボールカバーを平面方向に連接可能な連接手段を袋本体部に設けたことを特徴とする請求項１乃至請求項３のいずれかに記載のボールカバー。
【発明の詳細な説明】
【技術分野】
【０００１】
本発明は、空気注排出口を有し該空気注排出口から空気を内部に注入及び排出可能で内部の空気量を調節できる弾性部材から成るボールを複数個、一列状に収納するボールカバーに関し、ボールカバー内に収納されたボールの位置を調整し保持することが出来ると共に、該ボールカバーを複数個、平面状に連接可能に形成し、ボールが収納された複数個のボールカバーを連接することでマット状にも成るボールカバーに関する。
【背景技術】
【０００２】
従来、袋体の内部にクッション材として弾力性を有する中空ボールを複数個封入したことを特徴とするクッションが提案されている（特許文献１）。また、クッションカバー（１）の中に、ボール入り袋部（２）を設け、ボール（５）の一つ一つが自由に動けるスペースごとに区切られた構造になっていることを特徴とするボール入りマッサージクッションが提案されている（特許文献２）。
【先行技術文献】
【特許文献】
【０００３】
【特許文献１】実用新案登録第３０７１８４５号公報
【特許文献２】特開２０１３−２２２１４号公報
【０００４】
しかしながら、特許文献１に係るクッションは中空ボールの位置を適宜調整して保持することができず、このため、体型の異なる男性や女性等によって中空ボールを当ててマッサージしたい身体の部位やツボ等が異なる場合は、該クッションを使用してマッサージを行うと、そのマッサージ効果に大小の差異が生じる場合がある、という課題がある。また、中空ボールは袋体内部に封入されているため外部と連通している状態ではなく、また容易に取り出すことが出来ないため、仮に空気を内部に注入及び排出可能で内部の空気量を調節できる中空ボールを使用しても、該中空ボール内部の空気量を容易に調節できないという課題があり、結果として一定の空気量が収められた中空ボールを使用することになって、該クッションを使用してマッサージを行う際には、中空ボールが身体に当たる強さを自在に変えることが出来ないという課題がある。
【０００５】
また、特許文献２に係るボール入りマッサージクッションは、クッションカバー（１）内に入れるボール（５）は小さく硬いボール類が使用されるため、上記同様にボールの硬さが調整できず、ボール部分が身体に当たる強さを自在に変えることが出来ないという課題がある。また、該ボール（５）はスペース内で自由に動くことが出来るため、使用条件によってはボール（５）に偏りを生じる場合があり、このためマッサージ効果が安定しないという課題がある。
【０００６】
また、上記特許文献１及び特許文献２に示されるクッションはそれぞれ単独で使用されるもので、マッサージをする身体の部位は局所的な部位に限られるという課題がある。
【発明の概要】
【発明が解決しようとする課題】
【０００７】
本発明が解決しようとする課題は、ボールカバー内に収納するボールの位置を調整してその調整後の位置を保持することができ、このため、本ボールカバーを身体の局所に当ててマッサージを行う場合は、身体のツボ等ボールが当たる位置をボール位置の調整で対応することが可能であり、また、ボールは内部の空気を注入及び排出可能に形成されると共に外部より容易に該空気量の調節が可能であり、身体に当たる際の強さを都度容易にボール内部の空気量の調節で微調整することができ、さらには、本発明であるボールカバーを複数個平面方向に連接してマット状にすることで、身体全体を心地よく支えたり、局所より広い範囲又は身体全体をマッサージすることが可能なボールカバーを提供することにある。
【課題を解決するための手段】
【０００８】
請求項１記載の発明は、空気注排出口を有し該空気注排出口から空気を内部に注入及び排出可能で内部の空気量を調節できる弾性部材から成るボールのボールカバーであって、複数個のボールを一列状に収納する袋本体部と、該袋本体部の中央部長手方向に設けられたスリット部と、袋本体部に収納されたボールの位置を調整し保持するボール位置調整保持手段と、から成り、スリット部はボールが出入り自在に形成されていることを特徴とするボールカバーを提供する。
【０００９】
また、請求項２記載の発明は、ボールカバーは変形自在のシート状体で形成されていることを特徴とする請求項１記載のボールカバーを提供する。
【００１０】
また、請求項３記載の発明は、シート状体は織物地又は編み物地から成る布帛であることを特徴とする請求項２記載のボールカバーを提供する。
【００１１】
また、請求項４記載の発明は、複数個のボールカバーを平面方向に連接可能な連接手段を袋本体部に設けたことを特徴とする請求項１乃至請求項３のいずれかに記載のボールカバーを提供する。
【発明の効果】
【００１２】
本発明のボールカバーは、ボールカバー内に収納するボールの位置を調整し、調整後のその位置を保持することができるため、複数のボールが収納された本ボールカバーを身体のマッサージに使用する際には、身体の押圧したい位置に合わせて、ボールの位置を変えることが出来ると共に、ボールカバーの袋本体部内に収納するボールの大きさや数を変えることができ、マッサージをする人に合わせたボールの位置、ボールの大きさ、ボールの数にすることが出来るという効果がある。
【００１３】
また、ボールカバー内に収納するボールは、空気注排出口を有し該空気注排出口から空気を内部に注入及び排出可能で内部の空気量を調節できる弾性部材から成るボールであり、また本ボールカバーに収納された該ボールは、本体部の中央部長手方向に設けられたスリット部を開けば外部と容易に連通した状態となるため、外部より都度容易にボール内部の空気量を微調整することができ、結果として、本ボールカバーが身体に当たる際の強さを、都度容易に該ボール内部の空気量で調節することが出来るという効果がある。また、ボール内の空気をすべて排出させればボールは平らに畳むことができ、またボールカバーも同様に平らに折りたたむことが可能であるため、該ボールカバーと合わせて小さくコンパクトに成って、携帯にも便利で旅行の際にも嵩張らずに持ち歩くことが出来るという効果がある。
【００１４】
また、特に請求項４記載のボールカバーは、ボールカバーの袋本体部に連接手段が設けられているため、複数個のボールカバーを平面方向に連接することで、全体としてマット状に形成することができ、身体全体を心地よく支えたり、局所より広い範囲や身体全体をマッサージすることできる効果がある。また、１のボールカバーはボールと合わせて上記のようにボール内部の空気を排出すれば平らで小さく成るため、人の体全体を支えるマットの大きさとなる複数のボールカバーとボールも小さくコンパクトに成って収納スペースも小さくすることが出来、例えば災害時等にはボールに空気をいれ、該ボールをボールカバーに収納し、さらには複数のボールカバーを連接させることによって、敷き布団や寝具用のマットレスとして利用することが出来る効果がある。加えて、この場合、船舶での敷き布団や寝具用のマットレスとして使用すれば、本ボールカバーはボール内部の空気によって十分な浮力を有するため、船舶が座礁等により浸水や沈没する際には、救命筏としても使用することが出来る効果がある。また、一般的な布団と異なり、綿や羊毛等を多量に使用しない敷き布団や寝具用のマットレスとなるため、一般的な布団と比較して防虫性や防ダニ性を有するものとなる効果がある。
【００１５】
また、ボールカバーを織物地や編み物地等の布帛であるシート状体で作成すれば、汚れた場合は洗濯することが可能であり、また弾性部材からなるボールも容易に汚れを拭き取ることが可能であるので、該ボールと併せて本発明であるボールカバーはアウトドアで使用する場合に、特に適するという効果がある。
【図面の簡単な説明】
【００１６】
【図１】本発明に係るボールカバーの全体斜視図である。
【図２】本発明に係るボールカバーを作製する前の一枚のシート状体を示す全体斜視図である。
【図３】本発明に係るボールカバーの袋本体部に複数個のボールを収納している状態斜視図である。
【図４】本発明に係るボールカバーの袋本体部に複数個のボールを収納し、２個のボールの中央部にてボールの位置を調整し保持している状態斜視図である。
【図５】本発明に係るボールカバーの袋本体部に複数個のボールを収納し、２個のボールの中央部とボールカバーの両端部の計３カ所にてボールの位置を調整し保持している状態斜視図である。
【図６】本発明に係るボールカバーに収納されたボールの空気量をスリット部を通して調整する状態を示している状態斜視図である。
【図７】袋本体部に連接手段が設けられた請求項４に係るボールカバーの全体斜視図である。
【図８】本発明に係る請求項４のボールカバーにボールが収納され、平面方向に該ボールカバーが複数個連接される状態を示した全体斜視図である。
【図９】本発明に係る請求項４のボールカバーにボールが収納され、平面方向に複数個連接し全体としてマット状に形成した状態を示している全体斜視図である。
【発明を実施するための形態】
【００１７】
次に本発明に係るボールカバーを実施するための形態に関し、図１乃至図９に基づき詳細に説明する。
【実施例】
【００１８】
図１は、本発明に係る、例えば織物地や編み物地の布帛等であるシート状体５から成るボールカバー１の全体斜視図であり、複数個のボール２を収納する袋状の袋本体部３と該袋本体部３の中央部長手方向に設けられたスリット部４とから成っている。スリット部４は本実施例では袋本体部３の表側にのみ設けられ、例えば図２に示したスリット部４となる凹部４ａを対向する２辺に持つ一枚のシート状体５を、図２の一点鎖線部分を折り目として折り返すと共に、折り返した凹部４ａを有する辺同士を凹部４ａ以外で縫い合わせることで形成される。本実施例では該スリット部４は図１において短手方向の中央部に形成しているが、中央部長手方向に設けられていれば短手方向のどの部分に設けられていてもよく、例えば短手方向の両端部のどちらか一つの端部に設けてもよいのは勿論である。またスリット部４の中央部にリングスナップボタン等を設けて閉じた状態が保持できるようにしても良く、こうすることによりスリット部４が不用意に開の状態に成らなくなる。
【００１９】
袋本体部３は、さらに図１に示す一点鎖線部分にて両端部を縫い合わせることにより形成され、結局、ボールカバー１は上記のようにシート状体５から成るため変形自在であり、このためスリット部４は大きく開口させることが可能であって、これにより該スリット部４からボール２を出し入れすることが出来る。なお、スリット部４が開口部した袋状に形成されたボールカバー１は図１の状態から、外側面が内側になるように裏返すことが可能で、こうすることにより上記縫い目を外観上見えなくすることが出来る。
【００２０】
スリット部４より２個のボール２を入れて収納させた状態を示したのが図３であり、ボール２は弾性部材から成り、表面の一カ所に、図６に示すように、ストロー状の細い円筒である空気注排出パイプ６を突き刺し空気を内部に注入及び排出することが可能な空気注排出口２ａが設けられている。ボール２は該空気注排出口２ａに空気注排出パイプ６を突き刺し、内部に空気を注入後、該空気注排出パイプ６を抜けば、内部の空気は漏れることが無い。空気を内部に注入して膨らませた状態が図３等に示しているボール２である。
【００２１】
図３では、袋本体部３に２個のボール２を収納しているが、直径が小さめのボール２を使用することで、３個以上のボール２を収納しても良いし、直径が異なるボール２を複数個収納しても良い。図４は、袋本体部３に２個のボール２を収納した後、ボール２の袋本体部３内での位置を調整し、また保持するために、２個のボール２の中央部で、ボール位置調整保持手段である、組紐７で緊縛した状態を示しており、同様に図５は、２個のボール２の中央部の他、袋本体部３の両端部の２カ所でも、前記組紐７にて緊縛して２個のボール２の位置を調整している状態を示している。
【００２２】
本実施例では、組紐７をボール位置調整保持手段として使用しているが、この他に一部が開口したリング状のプラスチック片や、ゴムバンド等を該ボール位置調整保持手段として使用することが出来る。
【００２３】
また、本ボールカバー１にはスリット部４が設けられているため、該スリット部４を介してボール２の前記空気注排出口２ａに空気注排出パイプ６を突き刺せば（図６参照）、袋本体部３にボール２を収納したまま、ボール２の空気量を調節することができ、これにより、ボール２を収納した本ボールカバー１を身体のマッサージ等に使用する際には、ボール２の空気量によりボール２の硬さを微調整して、本ボールカバー１を身体に当てた際の硬さ（痛さ）を微調整することができる。
【００２４】
図７は、本ボールカバー１の袋本体部３に、複数個のボールカバー１を平面方向に連接可能なように、連接手段である、リング部１ａ及び該リング部１ａと対抗する辺に２本の連接紐１ｂを設けている。リング部１ａは四角形状の袋本体部３の２辺にそれぞれ２個設けられ、これと対向する辺であって、リング部１ａとほぼ同位置に連接紐１ｂが１辺につき２個設けられている。本実施例では連接手段として、リング部１ａと連接紐１ｂを使用したが、この他に、嵌合することで一体となるプラスチック片や、面ファスナーが設けられたベルト等をリング部１ａ、連接紐１ｂに代わって設けても良い。さらには、四角形状の上記袋本体部３の四隅に丸穴を設け、該丸穴に例えば組紐を通すようにして、ボールカバー１同士を連接させても良い。
【００２５】
図８は連接手段であるリング部１ａ及び連接紐１ｂが設けられ、ボール２が２個収納されたボールカバー１を長手方向及び短手方向に連接した状態を示しており、リング部１ａに連接紐１ｂを結びつけることで複数個のボールカバー１を平面方向に連接している。本実施例では長手方向と短手方向に連接しているが、連接方向は限定されず、使用者によって好ましい大きさや形状になるように、例えば座布団形状、長四角形状、三角形状、輪状等、１個のボールカバー１を最小単位として自由に組み合わせて、さまざまな形状と大きさに連接することができ、その用途が多種多様に広がることは本発明の大きな特徴の一つである。
【００２６】
図９は、ボールカバー１を図８のように長手方向及び短手方向に連接することを繰り返し、人が横たわることができる程度の大きさのマット状にした状態を示している。多数のボールカバー１を連接することで、敷き布団の下に敷くマットレス等としても使用することが出来る。勿論、図９に示した大きさに連接したものを、市販の例えば敷き布団カバー内に挿入して、該敷き布団カバーの４つの角部及び２つの端部の中央部等で敷き布団カバーと多数連接されたボールカバー１をさらに連接すれば、敷き布団等の代わりに使用することもできる。
【００２７】
また、本実施例においてはボールカバー１の袋本体部３は長四角形状としたが、複数個のボール２が一列状に収納できれば他の形状であってもよく、複数個のボール２は互いに大きさが異なっていても良い。例えば大小２個のボール２を収納できるようにして、外観が雪だるまや、熊等の動物形状にした縫いぐるみ状の袋本体部３を形成してボールカバー１とすれば、該ボールカバー１をマッサージ等に使用しないときは部屋のインテリアとして飾っておくこともできる。
【符号の説明】
【００２８】
１  ボールカバー
１ａ  リング部
１ｂ  連接紐
２  ボール
２ａ  空気注排出口
３  袋本体部
４  スリット部
４ａ  凹部
５  シート状体
６  空気注排出パイプ
【図１】
2016209047.tif 000003
【図２】
2016209047.tif 000004
【図３】
2016209047.tif 000005
【図４】
2016209047.tif 000006
【図５】
2016209047.tif 000007
【図６】
2016209047.tif 000008
【図７】
2016209047.tif 000009
【図８】
2016209047.tif 000010
【図９】
2016209047.tif 000011